【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
演出のための操作に用いられる演出操作手段と、
遊技を進行させるための操作に用いられる遊技進行操作手段と、
前記演出操作手段の操作を促す第１促進演出を実行する第１促進手段と、
前記遊技進行操作手段の操作を促す第２促進演出を実行する第２促進手段と、
音を出力する音出力手段と、
前記音出力手段により出力される出力音量を示す音量設定値を設定する音量設定手段と、
前記音量設定手段により設定された音量設定値に応じて、前記音出力手段により出力される出力音量を制御する音量制御手段と、
遊技者により遊技がされているか否かを検出する検出手段と、
開始条件の成立に応じて、遊技者にとって有利な有利状態に制御する有利状態制御手段と、
特定期間に、前記音出力手段から一の楽曲を出力する特定演出と、前記音出力手段から複数の楽曲を出力する特定演出とを実行可能な特定演出実行手段と、を備え、
前記特定演出実行手段は、前記特定期間後に前記有利状態制御手段が前記有利状態に制御しない場合よりも前記有利状態に制御する場合の方が、前記複数の楽曲を出力する特定演出を実行する割合が高く、
前記第１促進演出の実行中に前記演出操作手段が操作されたときに、特典に関する報知が行われ、
楽曲の出力中に前記第１促進演出が実行されているときには、当該楽曲の音量を小さくする一方で、楽曲の出力中に前記第２促進演出が実行されているときには、当該楽曲の音量を維持し、
前記第２促進演出が実行されるときに出力される促進音の音量は、前記楽曲の音量よりも大きく設定されており、
前記第１促進演出において第１促進音が出力されるときと第２促進音が出力されるときとで、前記特典が付与される割合が異なり、
前記音量制御手段は、遊技者により遊技がされていないことが前記検出手段により検出された場合には、音量設定値に応じて出力音量を低下させる音量低下制御を実行し、
前記音量設定手段により最大音量を示す音量設定値が設定され、かつ前記音量制御手段により前記音量低下制御が実行されているときの出力音量は０ではなく、前記音量設定手段により最小音量を示す音量設定値が設定され、かつ前記音量制御手段により前記音量低下制御が実行されていないときの出力音量より小さく、
前記音量設定手段は、
遊技店の店員が音量設定値を設定する第１音量設定手段と、
遊技者が音量設定値を設定する第２音量設定手段と、を含み、
前記音量制御手段により前記音量低下制御が実行されているときに前記第１音量設定手段により音量設定値が変更された場合は、変更後の音量設定値に応じた音量を前記音量低下制御により低下させた音量の音を出力し、前記音量制御手段により前記音量低下制御が実行されているときに前記第２音量設定手段により音量設定値が変更された場合は、前記音量低下制御を終了させ、変更後の音量設定値に応じた音量の音を出力する、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
演出のための操作に用いられる演出操作手段と、
遊技を進行させるための操作に用いられる遊技進行操作手段と、
前記演出操作手段の操作を促す第１促進演出を実行する第１促進手段と、
前記遊技進行操作手段の操作を促す第２促進演出を実行する第２促進手段と、
音を出力する音出力手段と、
前記音出力手段により出力される出力音量を示す音量設定値を設定する音量設定手段と、
前記音量設定手段により設定された音量設定値に応じて、前記音出力手段により出力される出力音量を制御する音量制御手段と、
遊技者により遊技がされているか否かを検出する検出手段と、
開始条件の成立に応じて、遊技者にとって有利な有利状態に制御する有利状態制御手段と、
特定期間に、前記音出力手段から一の楽曲を出力する特定演出と、前記音出力手段から複数の楽曲を出力する特定演出とを実行可能な特定演出実行手段と、を備え、
前記特定演出実行手段は、前記特定期間後に前記有利状態制御手段が前記有利状態に制御しない場合よりも前記有利状態に制御する場合の方が、前記複数の楽曲を出力する特定演出を実行する割合が高く、
前記第１促進演出の実行中に前記演出操作手段が操作されたときに、特典に関する報知が行われ、
楽曲の出力中に前記第１促進演出が実行されているときには、当該楽曲の音量を小さくする一方で、楽曲の出力中に前記第２促進演出が実行されているときには、当該楽曲の音量を維持し、
前記第２促進演出が実行されるときに出力される促進音の音量は、前記楽曲の音量よりも大きく設定されており、
前記第１促進演出において第１促進音が出力されるときと第２促進音が出力されるときとで、前記特典が付与される割合が異なり、
前記音量制御手段は、遊技者により遊技がされていないことが前記検出手段により検出された場合には、音量設定値に応じて出力音量を低下させる音量低下制御を実行し、
前記音量設定手段により最大音量を示す音量設定値が設定され、かつ前記音量制御手段により前記音量低下制御が実行されているときの出力音量は０ではなく、前記音量設定手段により最小音量を示す音量設定値が設定され、かつ前記音量制御手段により前記音量低下制御が実行されていないときの出力音量より小さく、
前記音量設定手段は、
遊技店の店員が音量設定値を設定する第１音量設定手段と、
遊技者が音量設定値を設定する第２音量設定手段と、を含み、
前記音量制御手段により前記音量低下制御が実行されているときに前記第１音量設定手段により音量設定値が変更された場合は、変更後の音量設定値に応じた音量を前記音量低下制御により低下させた音量の音を出力し、前記音量制御手段により前記音量低下制御が実行されているときに前記第２音量設定手段により音量設定値が変更された場合は、前記音量低下制御を終了させ、変更後の音量設定値に応じた音量の音を出力する。
（１）  遊技を行うことが可能な遊技機（例えば、スロットマシン１、パチンコ遊技機
）であって、
演出のための操作に用いられる演出操作手段（例えば、スロットマシン１の演出用スイ
ッチ５６、パチンコ遊技機の演出ボタン）と、
遊技を進行させるための操作に用いられる遊技進行操作手段（例えば、スロットマシン
１のストップスイッチ８Ｌ，８Ｃ，８Ｒ、パチンコ遊技機の打球操作ハンドル）と、
前記演出操作手段の操作を促す第１促進演出（例えば、図２９の時刻ｔ５〜ｔ６の液晶
表示器５１に示すように、演出用スイッチ５６の操作を促す演出、パチンコ遊技機におけ
る演出ボタンの操作を促す演出）を実行する第１促進手段（例えば、サブ制御部９１が第
１促進演出を実行する処理）と、
前記遊技進行操作手段の操作を促す第２促進演出（例えば、図２９の時刻ｔ２〜ｔ３，
ｔ４〜ｔ５の液晶表示器５１に示すようにストップスイッチ８Ｌ，８Ｃ，８Ｒの正解手順
をナビする演出、パチンコ遊技機における右打ちを指示する演出）を実行する第２促進手
段（例えば、サブ制御部９１が第２促進演出を実行する処理）と、
音（例えば、楽曲Ａ〜Ｅ、図２７に示す第１促進音、第２促進音）を出力する音出力手
段（例えば、音声出力回路９４、スピーカ５３、５４）と、
開始条件の成立に応じて、遊技者にとって有利な有利状態（例えばＡＲＴ）に制御する
有利状態制御手段（例えば、メイン制御部４１）と、
特定期間（例えば、４ゲームに亘る期間）に、前記音出力手段から一の楽曲を出力する
特定演出（例えば、特定演出Ａ）と、前記音出力手段から複数の楽曲を出力する特定演出
（例えば、特定演出Ｂ〜Ｅ）とを実行可能な特定演出実行手段（例えば、サブ制御部９１
）と、
を備え、
前記特定演出実行手段は、前記特定期間後に前記有利状態制御手段が前記有利状態に制
御しない場合よりも前記有利状態に制御する場合の方が、前記複数の楽曲を出力する特定
演出を実行する割合が高く、
前記第１促進演出の実行中に前記演出操作手段が操作されたときに、特典（例えば、上
乗せゲーム数の付与）に関する報知が行われ（例えば、図２９の時刻ｔ５〜ｔ６の液晶表
示器５１に示すように、演出用スイッチ５６の操作を促す「ＰＵＳＨ！」という表示およ
び「このボタンを押せ！！」という音声出力がされたときに、演出用スイッチ５６を操作
すると、上乗せゲーム数の付与を示唆する「ＷＩＮ！」が画面上に表示される）、
前記音出力手段は、楽曲の出力中に前記第１促進演出が実行されているときには、当該
楽曲の音量を小さくする（例えば、図２９の時刻ｔ５〜ｔ６に示すように、第１促進演出
が実行されているときには、ＢＧＭの音量を小さくする）一方で、楽曲の出力中に前記第
２促進演出が実行されているときには、当該楽曲の音量を維持する（例えば、図２９の時
刻ｔ２〜ｔ３，ｔ４〜ｔ５に示すように、第２促進演出が実行されているときには、ＢＧ
Ｍの音量を維持する）
ことを特徴とする遊技機。